(57)【要約】      （修正有）【課題】多数の人物について、その情報と肖像写真を少ない壁スペースでも有効に掲げることができる人物情報表示装置を提供する。【解決手段】壁等に取り付けられる基板に、１対の支持部２，３が、基板の上縁及び下縁に沿って水平方向に延びるように設置されている。表示板１は、支持部２，３間に脱着可能に支持される。この各支持板１には、表示対象者毎に、その「歴代」、「階級、役職又は地位」、「氏名」、「就任期間、生存期間又は死亡日」、「戒名」、「診療科」、又は「専門事項」を含む人物情報と、肖像写真とが印刷されている。【選択図】図２
0003187278.tif 000002
【実用新案登録請求の範囲】
【請求項１】
壁等に取り付けられる基板と、この基板に対して取り外し可能に設置された複数個の表示板と、を有し、前記表示板には、表示対象者毎に、その「歴代」、「階級、役職又は地位」、「氏名」、「就任期間、生存期間又は死亡日」、「戒名」、「診療科」、又は「専門事項」を含む人物情報と、肖像写真とが印刷されていることを特徴とする人物情報表示装置。
【請求項２】
前記基板に適長間隔をおいて平行に延びるように設置された１対の支持部を有し、前記表示板は、その長手方向の両端部を前記支持部に支持され、前記支持部には、その対向面に凹部が形成されており、前記表示板は、その長手方向の両端部を前記凹部に嵌合することにより、前記支持部に着脱自在に支持されることを特徴とする請求項１に記載の人物情報表示装置。
【請求項３】
仏壇に収蔵する位牌の表面若しくは裏面又は繰り出し位牌の白木札の表面若しくは裏面に、その位牌又は白木札に表示される故人の情報と共に、その故人の肖像写真が印刷されていることを特徴とする人物情報表示装置。
【考案の詳細な説明】
【技術分野】
【０００１】
本考案は、学校、消防署及び警察等の公的機関、病院及び医院等の医療機関、又は会社等の私的機関等の種々の組織において、歴代の実力者を記録表示したり、専門情報を紹介したりするための人物情報表示装置に関する。
【背景技術】
【０００２】
例えば、学校及び大学においては、歴代の校長、学長又は総長が退任した後、図３に示すように、校長室又はエントランス等の壁に、その肖像写真が額に収められて飾られ、その下方に、氏名及び就任期間等が表示される。そして、この肖像写真は、歴代の全ての校長等について、就任順に並べられている。
【０００３】
このような歴代の実力者（組織のトップを務めた人物等）の肖像写真は、学校及び大学に限らず、消防庁、警察庁等の官庁、地方公共団体、及び会社等の団体において、その功績をたたえるために、額に収められて、壁等に掲げられている。
【０００４】
なお、人物情報を管理する従来技術として、特許文献１があるが、これは、人物情報を表示するものではない。
【先行技術文献】
【特許文献】
【０００５】
【特許文献１】特開２００４−４６２９４号公報
【考案の概要】
【考案が解決しようとする課題】
【０００６】
しかしながら、この従来の記録表示方法であると、代を重ねた場合に、壁の肖像写真を掲げるためのスペースが不足するようになり、古い肖像写真を壁から取り外して、他の場所で保管することが必要になる。この作業が繁雑であるという問題点がある。
【０００７】
本考案はかかる問題点に鑑みてなされたものであって、多数の人物について、その情報と肖像写真を少ない壁スペースでも有効に掲げることができる人物情報表示装置を提供することを目的とする。
【課題を解決するための手段】
【０００８】
本考案に係る人物情報表示装置は、壁等に取り付けられる基板と、この基板に対して取り外し可能に設置された複数個の表示板と、を有し、前記表示板には、表示対象者毎に、その「歴代」、「階級、役職又は地位」、「氏名」、「就任期間、生存期間又は死亡日」、「戒名」、「診療科」、又は「専門事項」を含む人物情報と、肖像写真とが印刷されていることを特徴とする。
【０００９】
また、前記基板に適長間隔をおいて平行に延びるように設置された１対の支持部を有し、前記表示板は、その長手方向の両端部を前記支持部に支持され、前記支持部には、その対向面に凹部が形成されており、前記表示板は、その長手方向の両端部を前記凹部に嵌合することにより、前記支持部に着脱自在に支持されるように構成することができる。
【００１０】
本考案に係る他の人物情報表示装置は、仏壇に収蔵する位牌の表面若しくは裏面又は繰り出し位牌の白木札の表面若しくは裏面に、その位牌又は白木札に表示される故人の情報と共に、その故人の肖像写真が印刷されていることを特徴とする。
【考案の効果】
【００１１】
本考案によれば、一人に対して、その人物情報及び肖像写真を印刷した一枚の表示板を作成し、これを、例えば、歴代順に支持部に取り付けていく。この人物情報には、氏名及び就任期間等の情報があり、更に、肖像写真が、表示板に印刷されている。これにより、各人につき肖像写真を額に入れて壁に記録表示している場合に比して、極めて小さなスペースで人物を記録表示することができる。また、この表示板は、支持部に着脱自在に設置されるので、取り付けが容易である。更に、顔写真等を位牌の表面若しくは裏面又は白木札の表面若しくは裏面に印刷しても、故人の情報を後世の者に、親しみやすく残すことができる。
【図面の簡単な説明】
【００１２】
【図１】本考案の実施形態に係る人物情報表示装置を示す正面図である。
【図２】同じくその使用方法を示す正面図である。
【図３】従来の記録表示方法を示す図である。
【図４】本考案の人物情報表示装置を病院医師一覧表として適用した例を示す図である。
【図５】本考案の人物情報表示装置を外来診療医担当表（縦書き）に適用した例を示す図である。
【図６】本考案の人物情報表示装置を外来診療医担当表（横書き）に適用した例を示す図である。
【図７】本考案を位牌の表面に適用した例を示す図である。
【図８】（ａ）、（ｂ）は、本考案を位牌の裏面に適用した例を示す図である。
【図９】（ａ）乃至（ｄ）は、本考案を繰り出し位牌に適用した例を示す図である。
【考案を実施するための形態】
【００１３】
以下、本考案の実施形態について、添付の図面を参照して、具体的に説明する。図１は、本考案の実施形態に係る人物情報表示装置を示す正面図、図２はその使用方法を示す正面図である。矩形の基板上に、その上縁及び下縁に沿って、水平方向（横方向）に延びるように、薄板上の支持部２，３が取り付けられている。この支持部２，３は、図２に示すように、それらの上半部又は下半部が、基板に、接着又はネジ止めにより固定されている。即ち、支持部２，3は、その縦断面において、厚肉部と薄肉部とを有し、厚肉部が基板の縁部側になるように配置され、従って、支持部2，3の対向面に支持部２，３の薄肉部と基板とで挟まれた凹部が形成されている。基板は、例えば、額と同様に、署長室の壁又はエントランスの壁等に、フックにより取り付けることができる。
【００１４】
一方、表示板１は、細長い板であり、例えば、塩化ビニールで作成されている。各表示板１には、記録表示する人物の「歴代」、「階級」、「氏名」、及び「就任期間」という文字からなる人物情報と、肖像写真とが、印刷により記載されている。この表示板１の長さは、支持部２，３間の間隔に基づいて、定まり、表示部１の上端部を上側の支持部２の凹部に嵌め込み、支持部２の厚肉部に当接させた後、表示部１の下端部を下側の支持部３の凹部に嵌め込み、支持部３の厚肉部に当接するまで、表示部１を加工させる。これにより、表示部１は、支持部２，３間に支持される。換言すれば、表示部１は、上述のようにして、支持部２，３間に支持されるのに十分な長さを有している。
【００１５】
このように構成された人物情報表示装置は、例えば、警察庁、消防庁、又は大学等において、その長を努めていた人物が、退任した場合に、その退任した人物の情報（文字情報）と、肖像写真とを、表示部１に印刷して、本実施形態の人物情報表示装置に、設置する。これにより、簡単かつ容易に、退任した人物の情報を、表示して、その功績を記録表示することができる。この表示部１は、支持部２，３に着脱自在に設置されるので、その設置のための作業が極めて容易である。
【００１６】
また、本実施形態においては、例えば、表示板１は、横が５ｃｍ程度、縦が４５ｃｍ程度あれば良く、このような大きさの表示板１でも十分な内容を表示することができる。基板は、図１において、その上に、支持部２，３及び表示板１が重なっているので、図示されていない。しかし、この基板の大きさは、例えば、縦が表示板１の長さに応じて決まる寸法であり、４５ｃｍ程度であり、横が１．５ｍ程度である。このため、上記大きさの場合、一つの基板に、２５人以上の人物を記録表示することができる。このように、本考案においては、従来のように、額に肖像写真を収めて、この額を壁に掲げる場合に比して、掲載に必要なスペースが極めて少なくて済み、多数の対象者を、表示板１を入れ替えることなく、記録表示することができる。
【００１７】
なお、本考案は、上述のように、歴代署長、歴代長官、歴代学長、歴代校長等のように、官公庁において、その長であった人物の功績を、後世までたたえるために、記録表示する人物情報表示装置として、有益である。しかし、本考案は、上述の使用方法に限らず、例えば、病院及び医院において、多数の診療科に多数の医師が所属している場合に、その診療科毎に、医師の氏名、略歴及び顔写真等を、病院及び医院のエントランスに表示するような場合にも、利用することができる。患者は実際に医師に面談する前に、その人物像を理解することができ、安心しやすい。
【００１８】
図４は、病院、診療所、介護施設等の医師の一覧表である。この一覧表においては、院長、副院長をはじめとして、その病院のスタッフを、顔写真付きの名札で、表示している。この名札の記載事項は、氏名のほか、必要に応じて、略歴等も含まれる。必須の表示事項は、顔写真である。これにより、来院者に安心を与えることができる。この名札は、図１及び図２に示す第１実施形態と同様に、支持部２，３により、着脱自在に設置しても良いし、基板を鉄板等の強磁性にして、磁気等を利用して、基板に取着させても良い。
【００１９】
図５は、外来診療医担当表（縦書き）、図６は、外来診療医担当表（横書き）である。病院、医院、又は診療所の規模により、医師等一覧表の代わりに、図５又は図６に示すような外来診療医担当表を、エントランス等に設置することもできる。いずれの場合も、その各表示板に、医師等のスタッフの顔写真（肖像写真）及び氏名を表示し、更に必要に応じて、種々の人物情報を表示することができる。
【００２０】
また、本考案の人物情報表示装置は、個人の家にも設置することができる。この場合は、先祖代々の位牌として、仏壇に本考案の人物情報表示装置を設置することができる。これにより、位牌を前に、礼拝する際に、先祖の顔写真もあるので、先祖に対する親密感が増大する。また、位牌とは異なり、本考案の人物情報表示装置は、過去帳の機能も有する。なお、この人物情報表示装置は、個人の家の仏間等に、図１に示すような装置に、先祖代々の故人の情報を記載した表示板を掲げるものである。しかし、以下に述べるように、仏壇に収蔵する位牌自体に顔写真を印刷等で表示してもよい。
【００２１】
図７は位牌を示す正面図である。この位牌は、位牌の正面に、戒名と共に、この戒名の上方に顔写真が印刷されている。又は、図８（ａ）に示すように、位牌の表面には、戒名のみ記載し、図８（ｂ）に示すように、位牌の裏面に、顔写真と、俗名、死亡年月日、行年等を記載することもできる。このように、位牌に、写真を印刷することにより、故人がどのような人物であったのかが、より親しみやすく、わかりやすく、後世まで代々引き継がれる。また、仏間に掲げた故人の写真の整理にも有効である。
【００２２】
図９（ａ）は、繰り出し位牌を示す。この繰り出し位牌は、箱形をなし、この箱部分の蓋の表面には、「○○家祖先」とのみ記載し、蓋を開閉することにより、箱の中に、図（ｂ）示すような白木の札板を多数収蔵することができるようになっている。代々、家が続くと、位牌が仏壇の中に並びきれなくなる。このため、位牌の代わりに、繰り出し位牌を仏壇に置き、各故人の情報は、白木札に表示して、この白木札を繰り出し位牌の中に収蔵する。この繰り出し位牌においても、図９（ｃ）に示すように、白木札の表面に、顔写真と戒名を表示するか、又は図９（ｄ）に示すように、白木札の裏面に顔写真と、俗名、死亡年月日、行年等を表示する。これにより、通常の位牌と同様に、故人の情報が、顔写真と共に表示されるので、世代が遠い先祖でも、親しみやすく接することができる。
【符号の説明】
【００２３】
１：表示板
２，３：支持部
【図１】
0003187278.tif 000003
【図２】
0003187278.tif 000004
【図３】
0003187278.tif 000005
【図４】
0003187278.tif 000006
【図５】
0003187278.tif 000007
【図６】
0003187278.tif 000008
【図７】
0003187278.tif 000009
【図８】
0003187278.tif 000010
【図９】
0003187278.tif 000011
【手続補正書】
【提出日】平成25年9月11日(2013.9.11)
【手続補正１】
【補正対象書類名】実用新案登録請求の範囲
【補正対象項目名】全文
【補正方法】変更
【補正の内容】
【実用新案登録請求の範囲】
【請求項１】
壁等に取り付けられる基板と、この基板に対して取り外し可能に設置された複数個の表示板と、を有し、前記表示板には、表示対象者毎に、その「歴代」、「階級、役職又は地位」、「氏名」、「就任期間、生存期間又は死亡日」、「戒名」、「診療科」、又は「専門事項」を含む人物情報と、肖像写真とが印刷されていることを特徴とする人物情報表示装置。
【請求項２】
前記基板に適長間隔をおいて平行に延びるように設置された１対の支持部を有し、前記表示板は、その長手方向の両端部を前記支持部に支持され、前記支持部には、その対向面に凹部が形成されており、前記表示板は、その長手方向の両端部を前記凹部に嵌合することにより、前記支持部に着脱自在に支持されることを特徴とする請求項１に記載の人物情報表示装置。
【請求項３】
仏壇に収蔵する位牌の表面若しくは裏面又は繰り出し位牌の白木札の表面若しくは裏面に、その位牌又は白木札に表示される故人の情報と共に、その故人の肖像写真が印刷されていることを特徴とする請求項１に記載の人物情報表示装置。